(57)【要約】【課題】本発明は、隠蔽部を新たに設けることなく商品明細票を隠蔽することができる配送伝票発行システムおよび配送伝票用ラベルを提供することを課題とする。【解決手段】剥離基材３２の一方面に仮着された第１の表面基材３１と、剥離基材３２の他方面に裏面が疑似接着された第２の表面基材３３と、第１の表面基材３１を、貼着領域３９と配達票４０および受領票４１とに分断するためのミシン目３６と、第１の表面基材３１および剥離基材３２を、配達票４０と受領票４１とに分断する第１のスリット３７と、第２の表面基材３３および剥離基材３２を、除去領域４２と商品明細票４３とに分断する第２のスリット３８とを備えた配送伝票用ラベル３０を用い、配達票４０および受領票４１に配送情報を印字する第１の印字手段と、商品明細票４３に商品明細情報を印字する第２の印字手段とを備えたプリンタ２０で印字する。【選択図】        図２
2010030112.tif 000002
【特許請求の範囲】
【請求項１】
ホストから受信した配送情報および商品明細情報からなる印字データに基づいて配送伝票用ラベルに印字を行うプリンタを有する配送伝票発行システムであって、
前記配送伝票用ラベルは、剥離基材と、
裏面に塗布された粘着剤によって、前記剥離基材の一方の面に仮着されている第１の表面基材と、
疑似接着層で前記剥離基材の他方の面に裏面が疑似接着されている第２の表面基材と、
前記第１の表面基材の両側端部にそれぞれ形成され、前記第１の表面基材を、被着体に貼着させる両側端部の貼着領域と配達票および受領票とに分断するためのミシン目と、
前記第１の表面基材および前記剥離基材に前記ミシン目と直交して形成され、前記第１の表面基材および前記剥離基材を、前記配達票と前記受領票とに分断する第１のスリットと、
前記第２の表面基材および前記剥離基材の両側端部にそれぞれ形成され、前記第２の表面基材および前記剥離基材を、取り除くことで前記貼着領域の裏面に塗布されている前記粘着剤を表出させる両側端部の除去領域と商品明細票とに分断する第２のスリットとを備え、
前記プリンタは、前記第１の表面基材の前記配達票および前記受領票に前記配送情報を印字する第１の印字手段と、
前記第２の表面基材の前記商品明細票に前記商品明細情報を印字する第２の印字手段とを備えていることを特徴とする配送伝票発行システム。
【請求項２】
配達票、受領票および商品明細票を有する配送伝票用ラベルであって、
剥離基材と、
裏面に塗布された粘着剤によって、前記剥離基材の一方の面に仮着されている第１の表面基材と、
疑似接着層で前記剥離基材の他方の面に裏面が疑似接着されている第２の表面基材と、
前記第１の表面基材の両側端部にそれぞれ形成され、前記第１の表面基材を、被着体に貼着させる両側端部の貼着領域と前記配達票および前記受領票とに分断するためのミシン目と、
前記第１の表面基材および前記剥離基材に前記ミシン目と直交して形成され、前記第１の表面基材および前記剥離基材を、前記配達票と前記受領票とに分断する第１のスリットと、
前記第２の表面基材および前記剥離基材の両側端部にそれぞれ形成され、前記第２の表面基材および前記剥離基材を、取り除くことで前記貼着領域の裏面に塗布されている前記粘着剤を表出させる両側端部の除去領域と前記商品明細票とに分断する第２のスリットと、を備えていることを特徴とする配送伝票用ラベル。
【請求項３】
前記商品明細票は、前記受領票に対向する領域外まで延出していることを特徴とする請求項２記載の配送伝票用ラベル。
【発明の詳細な説明】
【技術分野】
【０００１】
本発明は、配達票、受領票および商品明細票を有する配送伝票を発行する配送伝票発行システムおよび配送伝票用ラベルに関し、特に商品明細票を隠蔽した状態で被着体に貼着させることができる配送伝票を発行する配送伝票発行システムおよび配送伝票用ラベルに関する。
【背景技術】
【０００２】
配送伝票等は、配達票、受領票、商品明細票等、配送時に付随して発行されるべき伝票が一体化された配送伝票が広く使用されており、配達票および受領票からなる伝票領域と商品明細票からなる情報領域とを有する伝票基材と、伝票基材に連接され、少なくとも情報領域を隠蔽する隠蔽部とを備え、隠蔽部を折り返して伝票基材に貼着させることで、隠蔽部によって情報領域を隠蔽させるようにした配送伝票が提案されている（例えば、特許文献１参照）。
【０００３】
しかしながら、従来技術では、隠蔽部を折り返して伝票基材に貼着させる粘着手段を、伝票基材の裏面に塗布された粘着剤とは別途に設けなければならず、製造工程が複雑になってコスト高になると共に、被着体への貼着時に隠蔽部を折り返す手間が生じ、貼着作業が繁雑なものになってしまうという問題点があった。
【０００４】
【特許文献１】特開２００６−２９７７８４号公報
【発明の開示】
【発明が解決しようとする課題】
【０００５】
本発明は斯かる問題点に鑑みてなされたものであり、その目的とするところは、情報領域を隠蔽する隠蔽部を新たに設けることなく商品明細票を隠蔽することができ、簡易な構成で低コスト、且つ被着体への貼着が容易な配送伝票を発行することができる配送伝票発行システムおよび配送伝票用ラベルを提供する点にある。
【課題を解決するための手段】
【０００６】
本発明は上記課題を解決すべく、以下に掲げる構成とした。
請求項１記載の発明の要旨は、ホストから受信した配送情報および商品明細情報からなる印字データに基づいて配送伝票用ラベルに印字を行うプリンタを有する配送伝票発行システムであって、前記配送伝票用ラベルは、剥離基材と、裏面に塗布された粘着剤によって、前記剥離基材の一方の面に仮着されている第１の表面基材と、疑似接着層で前記剥離基材の他方の面に裏面が疑似接着されている第２の表面基材と、前記第１の表面基材の両側端部にそれぞれ形成され、前記第１の表面基材を、被着体に貼着させる両側端部の貼着領域と配達票および受領票とに分断するためのミシン目と、前記第１の表面基材および前記剥離基材に前記ミシン目と直交して形成され、前記第１の表面基材および前記剥離基材を、前記配達票と前記受領票とに分断する第１のスリットと、前記第２の表面基材および前記剥離基材の両側端部にそれぞれ形成され、前記第２の表面基材および前記剥離基材を、取り除くことで前記貼着領域の裏面に塗布されている前記粘着剤を表出させる両側端部の除去領域と商品明細票とに分断する第２のスリットとを備え、前記プリンタは、前記第１の表面基材の前記配達票および前記受領票に前記配送情報を印字する第１の印字手段と、前記第２の表面基材の前記商品明細票に前記商品明細情報を印字する第２の印字手段とを備えていることを特徴とする配送伝票発行システムに存する。
また請求項２記載の発明の要旨は、配達票、受領票および商品明細票を有する配送伝票用ラベルであって、剥離基材と、裏面に塗布された粘着剤によって、前記剥離基材の一方の面に仮着されている第１の表面基材と、疑似接着層で前記剥離基材の他方の面に裏面が疑似接着されている第２の表面基材と、前記第１の表面基材の両側端部にそれぞれ形成され、前記第１の表面基材を、被着体に貼着させる両側端部の貼着領域と前記配達票および前記受領票とに分断するためのミシン目と、前記第１の表面基材および前記剥離基材に前記ミシン目と直交して形成され、前記第１の表面基材および前記剥離基材を、前記配達票と前記受領票とに分断する第１のスリットと、前記第２の表面基材および前記剥離基材の両側端部にそれぞれ形成され、前記第２の表面基材および前記剥離基材を、取り除くことで前記貼着領域の裏面に塗布されている前記粘着剤を表出させる両側端部の除去領域と前記商品明細票とに分断する第２のスリットとを備えていることを特徴とする配送伝票用ラベルに存する。
また請求項３記載の発明の要旨は、前記商品明細票は、前記受領票に対向する領域外まで延出していることを特徴とする請求項２記載の配送伝票用ラベルに存する。
【発明の効果】
【０００７】
本発明の配送伝票発行システムは、配送伝票用ラベルとして、剥離基材と、裏面に塗布された粘着剤によって、剥離基材の一方の面に仮着されている第１の表面基材と、疑似接着層で剥離基材の他方の面に裏面が疑似接着されている第２の表面基材と、第１の表面基材の両側端部にそれぞれ形成され、第１の表面基材を、被着体に貼着させる両側端部の貼着領域と配達票および受領票とに分断するためのミシン目と、第１の表面基材および剥離基材にミシン目と直交して形成され、第１の表面基材および剥離基材を、配達票と受領票とに分断する第１のスリットと、第２の表面基材および剥離基材の両側端部にそれぞれ形成され、第２の表面基材および剥離基材を、取り除くことで貼着領域の裏面に塗布されている粘着剤を表出させる両側端部の除去領域と商品明細票とに分断する第２のスリットとを備えたものを用い、第１の表面基材の配達票および受領票に配送情報を印字する第１の印字手段と、第２の表面基材の商品明細票に商品明細情報を印字する第２の印字手段とを備えたプリンタで印字を行うように構成することにより、一度の印字動作で第１の表面基材の配達票および受領票と、第２の表面基材の商品明細票とにそれぞれ配送情報と商品明細情報とを印字することができ、さらに、第２のスリットによって分断された剥離基材および第２の表面基材の両側端部の除去領域を取り除くことで、第１の表面基材における貼着領域の裏面に塗布されている粘着剤を表出させ、貼着領域の裏面に塗布されている粘着剤を用いて被着体に貼着させるという簡単な作業のみで、商品明細票を視認不能な状態で被着体に貼着させることができるため、隠蔽部を新たに設けることなく商品明細票を隠蔽することができ、簡易な構成で低コスト、且つ被着体への貼着が容易な配送伝票を発行することができるという効果を奏する。
【０００８】
また、本発明の配送伝票用ラベルは、剥離基材と、裏面に塗布された粘着剤によって、剥離基材の一方の面に仮着されている第１の表面基材と、疑似接着層で剥離基材の他方の面に裏面が疑似接着されている第２の表面基材と、第１の表面基材の両側端部にそれぞれ形成され、第１の表面基材を、被着体に貼着させる両側端部の貼着領域と配達票および受領票とに分断するためのミシン目と、第１の表面基材および剥離基材にミシン目と直交して形成され、第１の表面基材および剥離基材を、配達票と受領票とに分断する第１のスリットと、第２の表面基材および剥離基材の両側端部にそれぞれ形成され、第２の表面基材および剥離基材を、取り除くことで貼着領域の裏面に塗布されている粘着剤を表出させる両側端部の除去領域と商品明細票とに分断する第２のスリットとを備えることにより、第２のスリットによって分断された剥離基材および第２の表面基材の両側端部の除去領域を取り除くことで、第１の表面基材における貼着領域の裏面に塗布されている粘着剤を表出させ、貼着領域の裏面に塗布されている粘着剤を用いて被着体に貼着させるという簡単な作業のみで、商品明細票を視認不能な状態で被着体に貼着させることができるため、隠蔽部を新たに設けることなく商品明細票を隠蔽することができ、簡易な構成で低コスト、且つ被着体への貼着が容易な配送伝票を発行することができるという効果を奏する。
【０００９】
さらに、本発明の配送伝票用ラベルは、商品明細票を受領票に対向する領域外まで延出するように構成することにより、商品明細票が誤って受領票と共に持ち帰られることを防止できるという効果を奏する。
【発明を実施するための最良の形態】
【００１０】
以下、本発明の実施の形態を図面に基づいて詳細に説明する。
【００１１】
図１は、本発明に係る配送伝票発行システムの実施の形態の構成を示すブロック図であり、図２は、図１に示すプリンタに被印字媒体として用いられる配送伝票用ラベルの構成を示す図であり、（ａ）は、第１の表面基材側から見た平面図であり、（ｂ）は、（ａ）に示すＸ−Ｘ’断面図であり、（ｃ）は、（ａ）に示すＹ−Ｙ’断面図であり、（ｄ）は、第２の表面基材側から見た平面図である。図３は、図１に示す制御部の構成を示すブロック図であり、図４は、図１に示すプリンタによって発行された配送伝票用ラベルの構成を示す図であり、（ａ）は、第１の表面基材側から見た平面図であり、（ｂ）は、第２の表面基材側から見た平面図である。図５は、除去領域が取り除かれた配送伝票用ラベルの構成を示す図であり、（ａ）は、第２の表面基材側から見た平面図であり、（ｂ）は、（ａ）に示すＺ−Ｚ’断面図であり、（ｃ）は、被着体に貼着された状態を示す側面図である。図６は、配達票、受領票および商品明細票の切り離し動作を説明するための説明図であり、図７は、切り離された配達票、受領票および商品明細票の構成を示す図であり、（ａ）は、第１の表面基材側から見た平面図であり、（ｂ）は、（ａ）に示すＭ−Ｍ’断面図であり、（ｃ）は、第２の表面基材側から見た平面図であり、（ｄ）は、（ｃ）に示すＮ−Ｎ’断面図である。
【００１２】
本実施の形態の配送伝票発行システム１は、配送伝票を発行するシステムであり、図１を参照すると、商品の配送を管理する本部等に設置されるホスト１０と、商品をピッキングして箱詰めする配送センタ等に設置されるプリンタ２０とからなる。
【００１３】
ホスト１０は、パーソナルコンピュータ等のプログラム制御で動作する情報処理装置であり、荷物の配送に係る各種情報（届け先住所、依頼主等）からなる配送情報と、同一の配送伝票で配送する商品一覧情報からなる商品明細情報とを印字データとしてプリンタ２０に送信する。
【００１４】
プリンタ２０は、被印字媒体の両面に対して一度に印字を施すことが可能なプリンタであり、被印字媒体の第１の面に印字を施す第１の面用サーマルヘッド２１と、被印字媒体の第１の面とは反対面である第２の面に印字を施す第２の面用サーマルヘッド２２とを備え、第１の面用サーマルヘッド２１および第１のプラテンローラ２３と、第２の面用サーマルヘッド２２および第２のプラテンローラ２４とで被印字媒体をそれぞれ挟持搬送し、第１の面用サーマルヘッド２１の発熱体を選択的に発熱させることにより、被印字媒体の一方の面の感熱発色層を感熱発色させると共に、被印字媒体の他方の面の感熱発色層を感熱発色させ、被印字媒体の両面に所望の文字、バーコード等の印字を施すように構成されている。なお、被印字媒体に感熱発色層を設けず、熱転写リボンのインクを被印字媒体に転写させて印字を施すようにしても良く、また、インクジェット印字方式等の他の印字方式を用いても良い。
【００１５】
プリンタ２０に用いられる被印字媒体は、図２に示すような配送伝票用ラベル３０であり、図２（ａ）および（ｄ）に矢印で示す方向に、ミシン目等を介して連続して形成されたラベル連続体として、ロール状に巻き回された状態で用紙供給部２５に装填される。配送伝票用ラベル３０は、第１の表面基材３１と、剥離基材３２と、第２の表面基材３３とが積層され、第１の表面基材３１の裏面に塗布された粘着剤３４によって、第１の表面基材３１が剥離基材３２の一方の面に仮着されていると共に、第２の表面基材３３の裏面と剥離基材３２の他方の面とが剥離性を有すると共に剥離すると接着力がなくなる疑似接着層３５で疑似接着され、第１の表面基材３１の表面が被印字媒体の一方の面に、第２の表面基材３３の表面が被印字媒体の他方の面にそれぞれ対応し、両面を各種情報の表示部として用いることができるようになっている。なお、図１（ｂ）および（ｃ）に示す断面図においては、説明のために厚み方向を拡大して記載している。
【００１６】
また、配送伝票用ラベル３０には、第１の表面基材３１の両側端部をそれぞれ分断するためのミシン目３６と、ミシン目３６と直交し、両ミシン目３６間を結んで第１の表面基材３１および剥離基材３２を分断する第１のスリット３７と、第２の表面基材３３および剥離基材３２の両側端部をそれぞれ分断する第２のスリット３８とが形成されている。第１の表面基材３１において、ミシン目３６によって分断可能な両側端部の領域は、それぞれ貼着領域３９となると共に、貼着領域３９以外の領域は、第１のスリット３７によって配達票４０と受領票４１とに分断されている。さらに、第２のスリット３８は、第２のスリット３８によって分断された剥離基材３２および第２の表面基材３３の両側端部の除去領域４２を取り除くことで、第１の表面基材３１における貼着領域３９の裏面に塗布されている粘着剤３４を表出させるための切り込みであり、第２の表面基材３３の除去領域４２以外の領域は、商品明細票４３となる。
【００１７】
剥離基材３２には、紙基材やフィルム基材等の任意基材を用いることができ、少なくとも第１の表面基材３１が仮着された一方の面には、シリコーン加工等の剥離加工が施されている。また、第１の表面基材３１および第２の表面基材３３には、紙基材やフィルム基材等の任意基材を用いることができ、それぞれの表面には、感熱発色層（図示せず）が塗工されている。
【００１８】
配達票４０は、荷物の配送に用いられる伝票であり、荷物の配送に係る各種情報（届け先住所、依頼主等）を印字や記入する欄や案内表記が印刷されている。また、受領票４１は、荷物を届けたことを証明するための伝票であり、荷物の配送に係る各種情報（届け先住所、依頼主等）を印字や記入する欄や案内表記と共に、荷物を届けたことを証明するための受領印欄が印刷されている。さらに、商品明細票４３には、同一の配送伝票で配送する商品一覧情報を印字や記入する欄や案内表記が印刷されている。なお、配達票４０、受領票４１および商品明細票４３に各種欄や案内表記を印刷しておくように構成したが、配達票４０、受領票４１および商品明細票４３に表示する各種欄や案内表記もプリンタ２０によって印字するように構成しても良い。
【００１９】
粘着剤３４としては、例えばエマルジョン系、ソルベント系、ホットメルト系のように任意の粘着剤が使用可能であると共に、素材も、アクリル系、ゴム系など任意であり、また、粘着剤３４の強さも強粘タイプや弱粘タイプなど任意である。
【００２０】
疑似接着層３５としては、例えばアクリル酸エステルワニス、ポリアミドワニス等の樹脂含有液体ワニスを用いることができ、例えば強接着力を持つ第１樹脂層と、弱接着力を持つ第２樹脂層で構成される。第２の表面基材３３の裏面と剥離基材３２の他方の面とを疑似接着するには、第１樹脂層を形成する樹脂含有液体ワニスを予め第２の表面基材３３の裏面にコーティングして乾燥させ、次に、第１樹脂層に、第２樹脂層を形成する樹脂含有液体ワニスをコーティングして乾燥する前に剥離基材３２の他方の面を貼り付ける。これにより、第２の表面基材３３の裏面と剥離基材３２の他方の面とは、剥離性を有すると共に剥離すると第２の表面基材３３の裏面および剥離基材３２の他方の面における接着力がなくなる。また、疑似接着層３５としては、例えばポリエチレン、ポリプロピレンなどの熱可塑性樹脂からなるものや圧着糊と呼ばれるもの等を用いることができる。
【００２１】
図１を参照すると、プリンタ２０において、用紙供給部２５から印字部に至る搬送経路には、配送伝票用ラベル３０の第１の表面基材３１に印刷されたタイミングマーク４４（例えば、アイマークと称される黒の矩形のマーク）を検出し、タイミング検出信号を出力する第１の面用検出センサ２６と、配送伝票用ラベル３０の第２の表面基材３３に印刷されたタイミングマーク４５を検出し、タイミング検出信号を出力する第２の面用検出センサ２７とが設けられている。第１の面用検出センサ２６および第２の面用検出センサ２７から出力されたタイミング検出信号は、制御部５０に入力され、制御部５０は、第１の面用検出センサ２６から出力されたタイミング検出信号に基づく印字タイミングで、第１の面用サーマルヘッド２１と、第１のプラテンローラ２３を回転駆動する図示しない搬送モータとを制御して、配送伝票用ラベル３０の第１の表面基材３１（配達票４０および受領票４１）に印字を行うと共に、第２の面用検出センサ２７から出力されたタイミング検出信号に基づく印字タイミングで、第２の面用サーマルヘッド２２と、第２のプラテンローラ２４を回転駆動する図示しない搬送モータとを制御して、配送伝票用ラベル３０の第２の表面基材３３（商品明細票４３）に印字を行う。なお、制御部５０には、ホスト１０が外部インタフェース（外部Ｉ／Ｆ）２８を介して接続され、外部Ｉ／Ｆ２８を介して接続されたホスト１０との間で各種データやコマンドの送受信を行うことができるようになっている。
【００２２】
制御部５０は、図３を参照すると、所定の制御プログラムとフォントデータとが記憶されているＲＯＭ（read only memory）５１と、ＲＯＭ５１に記憶されている制御プログラムに従って動作し、各部を制御するＣＰＵ（central processing unit）５２と、ＣＰＵ５２が動作する上で必要となる各種データを記憶するＲＡＭ（random access memory）５３と、第１のプラテンローラ２３および第２のプラテンローラ２４を回転駆動する図示しない搬送モータにパルス信号等の駆動信号を供給し、搬送モータを回転させる搬送制御部５４と、ＣＰＵ５２からの指示に基づいて第１の面用サーマルヘッド２１および第２の面用サーマルヘッド２２に印字動作を行わせる印字制御部５５と、ＣＰＵ５２の制御下、第１の面用検出センサ２６および第２の面用検出センサ２７からタイミング検出信号を受け取り、デジタルのデータに変換することでピッチ信号としてＣＰＵ５２に供給するラベル検出部５６とを備えている。
【００２３】
ＣＰＵ５２は、外部Ｉ／Ｆ２８を介してホスト１０から送信されてきた印字データを受信すると、印字データに含まれている配送情報を配送伝票用ラベル３０の第１の表面基材３１（配達票４０および受領票４１）に、印字データに含まれている商品明細情報を配送伝票用ラベル３０の第２の表面基材３３（商品明細票４３）にそれぞれ印字させる。すなわち、ＣＰＵ５２は、配送情報に含まれる文字コードに対応するフォントデータと、商品明細情報に含まれる文字コードに対応するフォントデータとをＲＯＭ５１からそれぞれ読み出し、配送情報に対応するビットマップイメージデータと、商品明細情報に対応するビットマップイメージデータとをＲＡＭ５３の描画領域に展開する。次に、ＣＰＵ５２は、ＲＡＭ５３の描画領域にそれぞれ展開したビットマップイメージデータの印字を印字制御部５５に指示すると共に、搬送制御部５４に対して配送伝票用ラベル３０を搬送方向に搬送するように指示する。
【００２４】
印字制御部５５は、ＣＰＵ５２からの指示に基づいて、ＲＡＭ５３の描画領域に展開されている配送情報のビットマップイメージデータに対応して、第１の面用サーマルヘッド２１に対して制御信号を供給し、印字処理を行うと共に、ＲＡＭ５３の描画領域に展開されている商品明細情報のビットマップイメージデータに対応して、第２の面用サーマルヘッド２２に対して制御信号を供給し、印字処理を行う。また、搬送制御部５４は、ＣＰＵ５２からの指示に基づいて、第１のプラテンローラ２３および第２のプラテンローラ２４を回転駆動する図示しない搬送モータに対して所定の駆動信号を供給して駆動させる。これにより、図４に示すように、第１の面用サーマルヘッド２１と第１のプラテンローラ２３とで挟持搬送されながら、配送伝票用ラベル３０の第１の表面基材３１（配達票４０および受領票４１）に配送情報が印字されると共に、第２の面用サーマルヘッド２２と第２のプラテンローラ２４とで挟持搬送されながら、配送伝票用ラベル３０の第２の表面基材３３（商品明細票４３）に商品明細情報が印字されて発行されることになる。
【００２５】
発行された配送伝票用ラベル３０には、商品明細情報が印字されているため、配送センタにおいて梱包指示書として使用することができ、作業員は、配送伝票用ラベル３０の第２の表面基材３３（商品明細票４３）に印字された商品明細情報を見て、該当する商品をピッキングして梱包箱に詰めることができる。
【００２６】
該当する商品の箱詰めが終了すると、図５（ａ）および（ｂ）に示すように、第２のスリット３８によって分断された剥離基材３２および第２の表面基材３３の両側端部の除去領域４２を取り除くことで、第１の表面基材３１における貼着領域３９の裏面に塗布されている粘着剤３４を表出させ、図５（ｃ）に示すように、貼着領域３９の裏面に塗布されている粘着剤３４を用いて、商品明細情報に該当する商品が詰められた梱包箱等の被着体６０に貼着する。なお、貼着領域３９を被着体６０に貼着する際に、第１の表面基材３１に形成されているミシン目３６が被着体６０に貼着されないように、剥離基材３２および第２の表面基材３３に形成されている第２のスリット３８の位置が設定されている。また、図５（ｂ）に示す断面図においては、説明のために厚み方向を拡大して記載している。
【００２７】
図５（ｃ）に示すように、配送伝票用ラベル３０を被着体６０に貼着した状態では、第１の表面基材３１（配達票４０および受領票４１）が表出して視認可能であると共に、第２の表面基材３３（商品明細票４３）が被着体６０の表面に当接して視認不能である。従って、配送途中では、商品明細情報が印字された商品明細票４３が隠蔽された状態となり、第３者による盗み見を防止することができる。
【００２８】
配送伝票用ラベル３０が貼着された被着体６０が届け先に配送されると、受領票４１の受領印欄に受領印の押印後に、図６に示すように、ミシン目３６を切り離すことで、裏面に塗布された粘着剤３４によって剥離基材３２の一方面に仮着されている配達票４０および受領票４１と、疑似接着層３５によって剥離基材３２の他方面に疑似接着されている商品明細票４３とを、被着体６０に貼着されている貼着領域３９から取り除く。これにより、荷受人は、隠蔽されていた商品明細票４３に印字されている商品明細情報を確認することが可能になる。
【００２９】
ミシン目３６が切り離されると、受領票４１と当該受領票４１が仮着されている剥離基材３２は、第１のスリット３７によって分断されているため、図７（ａ）および（ｂ）に示すように、受領票４１は、剥離基材３２に仮着されている状態で、疑似接着層３５から簡単に剥離することができ、配送担当者によって持ち帰られる。なお、商品明細票４３が受領票４１に対向する領域外まで延出しているため、誤って商品明細票４３が受領票４１と共に持ち帰られることを防止できる。
【００３０】
また、受領票４１と同様に配達票４０も疑似接着層３５から剥離することで、商品明細票４３は、図７（ｃ）および（ｄ）に示すように、接着力がない状態になり、容易に管理することができる。なお、本実施の形態では、第２の表面基材３３において、第２のスリット３８によって分断された両側端部以外の全領域を商品明細票４３としたが、商品明細票４３とする領域は、受領票４１に対向する領域外まで延出しているのであれば、任意の位置大きさに設定し、設定した領域の周囲にスリットを形成するようにすれば良い。
【００３１】
以上説明したように、本実施の形態によれば、剥離基材３２と、裏面に塗布された粘着剤３４によって、剥離基材３２の一方の面に仮着されている第１の表面基材３１と、疑似接着層３５で剥離基材３２の他方の面に裏面が疑似接着されている第２の表面基材３３と、第１の表面基材３１の両側端部にそれぞれ形成され、第１の表面基材３１を、被着体６０に貼着させる両側端部の貼着領域３９と配達票４０および受領票４１とに分断するためのミシン目３６と、第１の表面基材３１および剥離基材３２にミシン目３６と直交して形成され、第１の表面基材３１および剥離基材３２を、配達票４０と受領票４１とに分断する第１のスリット３７と、第２の表面基材３３および剥離基材３２の両側端部にそれぞれ形成され、第２の表面基材３３および剥離基材３２を、取り除くことで貼着領域３９の裏面に塗布されている粘着剤３４を表出させる両側端部の除去領域４２と商品明細票４３とに分断する第２のスリット３８とを備えたものを用い、第１の表面基材３１の配達票４０および受領票４１に配送情報を印字する第１の面用サーマルヘッド２１と、第２の表面基材３３の商品明細票４３に商品明細情報を印字する第２の面用サーマルヘッド２２とを備えたプリンタ２０で印字を行うように構成することにより、第２のスリット３８によって分断された剥離基材３２および第２の表面基材３３の両側端部の除去領域４２を取り除くことで、第１の表面基材３１における貼着領域３９の裏面に塗布されている粘着剤３４を表出させ、貼着領域３９の裏面に塗布されている粘着剤３４を用いて被着体６０に貼着させるという簡単な作業のみで、商品明細票４３を視認不能な状態で被着体６０に貼着させることができるため、隠蔽部を新たに設けることなく商品明細票４３を隠蔽することができ、簡易な構成で低コスト、且つ被着体６０への貼着が容易な配送伝票を発行することができるという効果を奏する。
【００３２】
さらに、本実施の形態によれば、剥離基材３２と、裏面に塗布された粘着剤３４によって、剥離基材３２の一方の面に仮着されている第１の表面基材３１と、疑似接着層３５で剥離基材３２の他方の面に裏面が疑似接着されている第２の表面基材３３と、第１の表面基材３１の両側端部にそれぞれ形成され、第１の表面基材３１を、被着体６０に貼着させる両側端部の貼着領域３９と配達票４０および受領票４１とに分断するためのミシン目３６と、第１の表面基材３１および剥離基材３２にミシン目３６と直交して形成され、第１の表面基材３１および剥離基材３２を、配達票４０と受領票４１とに分断する第１のスリット３７と、第２の表面基材３３および剥離基材３２の両側端部にそれぞれ形成され、第２の表面基材３３および剥離基材３２を、取り除くことで貼着領域３９の裏面に塗布されている粘着剤３４を表出させる両側端部の除去領域４２と商品明細票４３とに分断する第２のスリット３８とを備えることにより、第２のスリット３８によって分断された剥離基材３２および第２の表面基材３３の両側端部の除去領域４２を取り除くことで、第１の表面基材３１における貼着領域３９の裏面に塗布されている粘着剤３４を表出させ、貼着領域３９の裏面に塗布されている粘着剤３４を用いて被着体６０に貼着させるという簡単な作業のみで、商品明細票４３を視認不能な状態で被着体６０に貼着させることができるため、隠蔽部を新たに設けることなく商品明細票４３を隠蔽することができ、簡易な構成で低コスト、且つ被着体６０への貼着が容易であるという効果を奏する。
【００３３】
さらに、本実施の形態によれば、商品明細票４３を受領票４１に対向する領域外まで延出するように構成することにより、商品明細票４３が誤って受領票４１と共に持ち帰られることを防止できるという効果を奏する。
【００３４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３５】
【図１】本発明に係る配送伝票発行システムの実施の形態の構成を示すブロック図である。
【図２】図１に示すプリンタに被印字媒体として用いられる配送伝票用ラベルの構成を示す図であり、（ａ）は、第１の表面基材側から見た平面図であり、（ｂ）は、（ａ）に示すＸ−Ｘ’断面図であり、（ｃ）は、（ａ）に示すＹ−Ｙ’断面図であり、（ｄ）は、第２の表面基材側から見た平面図である。
【図３】図１に示す制御部の構成を示すブロック図である。
【図４】図１に示すプリンタによって発行された配送伝票用ラベルの構成を示す図であり、（ａ）は、第１の表面基材側から見た平面図であり、（ｂ）は、第２の表面基材側から見た平面図である。
【図５】除去領域が取り除かれた配送伝票用ラベルの構成を示す図であり、（ａ）は、第２の表面基材側から見た平面図であり、（ｂ）は、（ａ）に示すＺ−Ｚ’断面図であり、（ｃ）は、被着体に貼着された状態を示す側面図である。
【図６】配達票、受領票および商品明細票の切り離し動作を説明するための説明図である。
【図７】切り離された配達票、受領票および商品明細票の構成を示す図であり、（ａ）は、第１の表面基材側から見た平面図であり、（ｂ）は、（ａ）に示すＭ−Ｍ’断面図であり、（ｃ）は、第２の表面基材側から見た平面図であり、（ｄ）は、（ｃ）に示すＮ−Ｎ’断面図である。
【符号の説明】
【００３６】
１  配送伝票発行システム
１０  ホスト
２０  プリンタ
２１  第１の面用サーマルヘッド
２２  第２の面用サーマルヘッド
２３  第１のプラテンローラ
２４  第２のプラテンローラ
２５  用紙供給部
２６  第１の面用検出センサ
２７  第２の面用検出センサ
２８  外部Ｉ／Ｆ
３０  配送伝票用ラベル
３１  第１の表面基材
３２  剥離基材
３３  第２の表面基材
３４  粘着剤
３５  疑似接着層
３６  ミシン目
３７  第１のスリット
３８  第２のスリット
３９  貼着領域
４０  配達票
４１  受領票
４２  除去領域
４３  商品明細票
４４、４５  タイミングマーク
５０  制御部
５１  ＲＯＭ
５２  ＣＰＵ
５３  ＲＡＭ
５４  搬送制御部
５５  印字制御部
５６  ラベル検出部
６０  被着体
【図１】
2010030112.tif 000003
【図２】
2010030112.tif 000004
【図３】
2010030112.tif 000005
【図４】
2010030112.tif 000006
【図５】
2010030112.tif 000007
【図６】
2010030112.tif 000008
【図７】
2010030112.tif 000009